(57)【要約】【課題】    運搬車への積載時等に上部に物を積み重ねたり、作業現場での一時的な物置台として利用したりすることができるようにした索状体巻取装置を提供する。【解決手段】  索状体を巻き取る回転巻取部と、該回転巻取部を収める収容空間を形成するパイプフレーム部と、該パイプフレーム部に固定され、前記回転巻取部を回転可能に支持する軸受部と、を備える索状体巻取装置において、前記回転巻取部を上方から覆うテーブルが、前記パイプフレーム部の上部に略水平な状態で固定されることにより、装置上面に物を載置可能な平坦面を形成したことを特徴とする。【選択図】  図１
0003141397.tif 000002
【実用新案登録請求の範囲】
【請求項１】
索状体を巻き取る回転巻取部と、
該回転巻取部を収める収容空間を形成するパイプフレーム部と、
該パイプフレーム部に固定され、前記回転巻取部を回転可能に支持する軸受部と、を備える索状体巻取装置において、
前記回転巻取部を上方から覆うテーブルが、前記パイプフレーム部の上部に略水平な状態で固定されることにより、装置上面に物を載置可能な平坦面を形成したことを特徴とする索状体巻取装置。
【請求項２】
前記テーブルにおける索状体の引出し側には、略水平方向に延びるとともに両端を回転可能に支持される二本の回転ローラが上下方向に間隔をおいて設けられ、該二本の回転ローラが索状体の引出口を区画形成することを特徴とする請求項１記載の索状体巻取装置。
【請求項３】
前記テーブルにおける索状体の引出し側には、前記平坦面の端部から下方に延びる延長部が形成され、該延長部に前記引出口を形成することにより、索状体が前記回転巻取部から略水平方向に引き出されるようにしたことを特徴とする請求項２記載の索状体巻取装置。
【請求項４】
前記パイプフレーム部は、前記引出口が上部にくるように装置を横倒しした状態で、装置を安定的に設置するための脚部を側面に備えることを特徴とする請求項２又は３記載の索状体巻取装置。
【考案の詳細な説明】
【技術分野】
【０００１】
本考案は、エアホースや電気コード等の索状体を巻き取るための索状体巻取装置に関する。
【背景技術】
【０００２】
従来、ホースリールやコードリール等の索状体巻取装置は、索状体を巻き取るドラムを、パイプを折り曲げる等して形成したパイプフレーム内に回転自在に収容してなる（例えば、特許文献１参照。）。このような索状体巻取装置は、凹凸の大きい形状となるため、その上部に物を安定的に載せることが難しく、また、無理に物を載せた場合には、ドラムに巻かれたホースやコード等を傷つけることもある。
【特許文献１】特開２００５−６７８５９号公報
【考案の開示】
【考案が解決しようとする課題】
【０００３】
本考案は、運搬車への積載時等に上部に物を積み重ねて置いたり、作業現場での一時的な物置台として利用したりすることを可能にする索状体巻取装置を提供する。
【課題を解決するための手段】
【０００４】
本願請求項１の考案は、索状体を巻き取る回転巻取部と、該回転巻取部を収める収容空間を形成するパイプフレーム部と、該パイプフレーム部に固定され、前記回転巻取部を回転可能に支持する軸受部と、を備える索状体巻取装置において、
前記回転巻取部を上方から覆うテーブルが、前記パイプフレーム部の上部に略水平な状態で固定されることにより、装置上面に物を載置可能な平坦面を形成したことを特徴とする索状体巻取装置を提供する。
【０００５】
本願請求項２の考案は、前記テーブルにおける索状体の引出し側には、略水平方向に延びるとともに両端を回転可能に支持される二本の回転ローラが上下方向に間隔をおいて設けられ、該二本の回転ローラが索状体の引出口を区画形成することを特徴とする請求項１記載の索状体巻取装置を提供する。
【０００６】
本願請求項３の考案は、前記テーブルにおける索状体の引出し側には、前記平坦面の端部から下方に延びる延長部が形成され、該延長部に前記引出口を形成することにより、索状体が前記回転巻取部から略水平方向に引き出されるようにしたことを特徴とする請求項２記載の索状体巻取装置を提供する。
【０００７】
本願請求項４の考案は、前記パイプフレーム部は、前記引出口が上部にくるように装置を横倒しした状態で、装置を安定的に設置するための脚部を側面に備えることを特徴とする請求項２又は３記載の索状体巻取装置を提供する。
【考案の効果】
【０００８】
本願請求項１の考案に係る索状体巻取装置によれば、以下の優れた効果を奏する。回転巻取部を収容するパイプフレーム部の上部に、回転巻取部を上方から覆うとともに物を載置可能な平坦面を形成するテーブルが固定されているので、運搬車への積載時等に装置上面に物を積み重ねたり、作業現場での一時的な物置台として利用したりすることができ、そのような使用によって索状体が傷付けられる心配もないものである。また、回転巻取部は、ケース等に収納されるものではなく、その上方側以外は外部に露出させられているため、たとえ使用中に索状体が偏った状態で巻き取られる等の不都合を生じても、作業者が早い段階で気づいて修正することができる。さらに、回転巻取部の各部に外部から手が届き易いため、修正作業を簡単に行うことができる。
【０００９】
本願請求項２の考案に係る索状体巻取装置によれば、請求項１の考案に係る索状体巻取装置が奏する効果に加えて、以下の優れた効果を奏する。テーブルにおける索状体の引出し側に、上下二本の回転ローラで索状体の引出口を区画形成したので、回転巻取部からの索状体の引き出し及び回転巻取部による索状体の巻き取りをスムーズに行うことができるものである。
【００１０】
本願請求項３の考案に係る索状体巻取装置によれば、請求項２の考案に係る索状体巻取装置が奏する効果に加えて、以下の優れた効果を奏する。引出口をテーブルから下方に延びる延長部に設けて、回転巻取部から索状体を略水平方向に引出し可能としたので、索状体巻取装置から索状体を引き出しながら作業場所を移動するような場合に、索状体をスムーズに引き出すことができるものである。
【００１１】
本願請求項４の考案に係る索状体巻取装置によれば、請求項２又は３の考案に係る索状体巻取装置が奏する効果に加えて、以下の優れた効果を奏する。引出口が上部にくるように装置を横倒しした状態で安定的に置くための脚部を設けたので、本装置を床面等に設置し、作業者がその上方で高所作業するような場合に、索状体を上方へスムーズに引き出して使用することができるものである。
【考案を実施するための最良の形態】
【００１２】
以下、本考案の実施形態を、図面を参照しながら説明する。図１乃至図６は、本実施形態に係るエアホース巻取装置を示す図である。図１は、エアホースが巻き取られた状態を示す斜視図、図２は、エアホースを装着されていない状態を示す斜視図、図３は、図２の反対側の側面から臨む斜視図である。図４は側面図、図５は側断面図、図６は平面図である。なお、図２乃至図５は、装置運搬用のハンドルが引き出された状態を示す。
【００１３】
（エアホース巻取装置１）
エアホース巻取装置１は、図１乃至図６に示されるように、エアホース２（図１及び図５）を巻き取る回転巻取部３と、回転巻取部３を収容する収容空間を形成するパイプフレーム部４と、パイプフレーム部４の両側部に掛け渡されるように固定され、回転巻取部３を回転可能に支持する軸受部５，５と、パイプフレーム部４の上部に略水平な状態で固定されることにより、回転巻取部３を上方から覆うとともに装置上面に物を載置可能な平坦面を形成するテーブル６と、を備えてなる。このエアホース巻取装置１は、エア供給口３７（図３及び図６）を不図示の圧縮エア源に接続させるとともに、回転巻取部３からエアホース２を作業に必要な長さ分だけ引き出して使用するものであり、使用後は、エアホース２を回転巻取部３に巻き取って収納する。
【００１４】
（エアホース２）
エアホース２は、圧縮エアの供給を受けて機能する空圧機器（例えば、エアインパクトレンチやエアガン）に、圧縮エアを供給するための供給管である。エアホース２は、回転巻取部３を回転させることで、エアホース巻取装置１から引き出し、又はエアホース巻取装置１に巻き取られ、その先端部には空圧機器のエア供給口に接続するための接続具２１を備える。
【００１５】
（回転巻取部３）
回転巻取部３は、その回転中心軸が略水平方向に延び、エアホース２が巻き取られる概ね筒形の巻取部本体３１（図２乃至図５）と、巻取部本体３１の回転軸方向の両端に固定されて、エアホース２が巻取部本体３１から側方にはみ出ないように保持する円板状の保持板３２，３３を備えてなる。上記二枚の保持板３２，３３のうち、一方の保持板３２の外側面には、図２及び図４に示されるように、軸受部５に軸受支持される回転軸３４が設けられ、回転軸３４には、回転巻取部３を手動回転させるための回転操作レバー３５が取り付けられる。なお、回転操作レバー３５は、Ｌ字形状で握部が側方に突出しているが、装置を持ち運んだり、片付けたりするときのため、図１に示されるように折り畳み可能とされている。
【００１６】
他方の保持板３３の外側面には、図３に示されるように、軸受部５に回転可能に軸受支持される回転軸３６が設けられている。回転軸３６には、コンプレッサ等の圧縮エア源からのエアホース（不図示）を接続するエア供給口３７が、回転軸３６と相対回転可能に取り付けられている。エア供給口３７の裏面側、すなわち回転巻取部３の内側には、エア供給口３７と連通するように形成され、エアホース２を接続するための接続口３８（図５）が形成されている。接続口３８にエアホース２を接続する作業は、巻取部本体３１の外周面に設けられる作業穴３１ａを通して行う。
【００１７】
（パイプフレーム部４）
パイプフレーム部４は、図１乃至図５に示されるように、回転巻取部３を収容するための収容空間をパイプで形成してなる骨組状フレームである。パイプフレーム部４は、図４乃至図６に示されるように、平面視略コ字形で略水平方向に延びる上部フレーム４１と、図１乃至図４に示されるように、平面視略コ字形で略水平方向に延びる下部フレーム４２と、図１乃至図５に示されるように、上部フレーム４１と下部フレーム４２の端部同士を連結するように上下方向に延びる二本の中間フレーム４３と、で形成される。下部フレーム４２の底面部には、エアホース巻取装置１を床面に安定的に置くための脚部となる複数のクッションゴム４２ａが取り付けられている。また、各中間フレーム４３の外側部には、後述する引出口６ａが上部にくるようにエアホース巻取装置１を横倒しした状態で安定的に置くための脚部となる複数のクッションゴム４３ａが取り付けられている。
【００１８】
（軸受部５）
軸受部５は、図１乃至図４に示されるように、回転巻取部３の両側に一つずつ設けられ、上下方向に延びる帯板状の軸受部材であって、それぞれ回転軸３４，３６を回転自在に支持する軸受穴５ａを備え、上部フレーム４１と下部フレーム４２に掛け渡されるようにして上下端が固定されている。
【００１９】
（テーブル６）
テーブル６は、図１乃至図６に示されるように、概ね矩形状のテーブル本体６１と、テーブル本体６１の一端部から斜め下方に延びるように形成される延長部６２と、延長部６２に設けられてエアホース２の引出口６ａを区画形成する二本の回転ローラ６３，６３と、を備える。テーブル本体６１は、上部フレーム４１に対してその上面を覆うように略水平な状態で固定され、回転巻取部３を上方から覆うとともに、装置上面に物を載置可能な平坦面を形成する。延長部６２は、テーブル本体６１におけるエアホース２の引出し側の端部から斜め下方へ延びる板状体であって、その下端部の中央部分が上方に抉れた逆Ｕ字形状をなしている。二本の回転ローラ６３，６３は、略水平方向に延びるように、延長部６２の逆Ｕ字形状部分に掛け渡された状態で、両端を回転可能に支持される。回転ローラ６３，６３は、エアホース２がスムーズに通過可能となる上下方向の間隔を空けて設けられ、これによりエアホース２の引出口６ａを区画形成する。
【００２０】
テーブル本体６１には、その周縁部から下方へ向けて延設される側壁６１ａが形成されており、該側壁６１ａにより上部フレーム４１が側面視で覆い隠されている。また、テーブル本体６１には、図１に示されるように、その上面と面一となるように格納される一方、装置を持ち運びする際には、図２乃至図５に示されるように、上方へ引き出すことができる矩形状のハンドル６４が設けられている。ハンドル６４は、図５に示されるように、その両端部の下面から垂下する二本のシャフト６４ａが、テーブル本体６１に穿設された貫通孔に対して上下動可能に挿通され、各シャフト６４ａの下端に固定されるストッパ６４ｂによって抜止め処理されている。
【００２１】
テーブル本体６１の上面側には、ハンドル６４に対応した形状に形成され、ハンドル６４をテーブル本体６１と面一状態となるように格納可能な格納凹部６１ｂのほか、格納されたハンドル６４との間に手が入る隙間を確保して、格納されたハンドル６４を引き出し易くするためのハンドル引出用凹部６１ｃが形成されている。
【００２２】
各回転ローラ６３は、エアホース２が引出口６ａを介して回転巻取部３から引き出され、あるいは回転巻取部３に巻き取られる際に、エアホース２の向きを整える案内部材として機能する。引出口６ａは、図５に示されるように、エアホース２が回転巻取部３から略水平方向に引き出されるよう、巻取部本体３１の上面と略同じ高さ、すなわち接線方向に設定されている。さらにホースの引出し方向が多少上下しても回転ローラ６３自体が回転することによって引っ掛かりや詰まりが防止されるようになっている。なお、高所作業等において、その下方の床面に装置を置く場合には、クッションゴム４３ａを床面に接地させるように装置を横倒しすることにより、高所からエアホース２を上方へ引き出す場合にも、装置が安定した状態を維持することができる。
【００２３】
（上記実施形態の変形例）
上記実施形態では、本考案に係る索状体巻取装置について、圧縮エアを供給するエアホース２を巻き取るためのエアホース巻取装置１を例に説明したが、これに限らず、エアホース以外のホースを巻き取るためのホース巻取装置に適用しても良く、ホース以外の索状体、例えば電気コード等を巻き取るコード巻取装置等に適用しても良い。その他、本考案は、上記した実施の形態に限定されるものではなく、本考案の要旨を逸脱しない範囲内において種々変更を加え得ることは勿論である。
【図面の簡単な説明】
【００２４】
【図１】本実施形態に係るエアホース巻取装置のエアホースを巻き取った状態を示す斜視図。
【図２】本実施形態に係るエアホース巻取装置のエアホースの非装着状態を示す斜視図。
【図３】本実施形態に係るエアホース巻取装置の図２とは反対側の側面から臨む斜視図
【図４】本実施形態に係るエアホース巻取装置の側面図。
【図５】本実施形態に係るエアホース巻取装置の側断面図（図６のＡ−Ａ断面に相当する図）。
【図６】本実施形態に係るエアホース巻取装置の平面図。
【符号の説明】
【００２５】
１    エアホース巻取装置（索状体巻取装置）
２    エアホース（索状体）
３    回転巻取部
４    パイプフレーム部
５    軸受部
６    テーブル
６ａ    引出口
【図１】
0003141397.tif 000003
【図２】
0003141397.tif 000004
【図３】
0003141397.tif 000005
【図４】
0003141397.tif 000006
【図５】
0003141397.tif 000007
【図６】
0003141397.tif 000008